(57)【要約】【課題】親株から株分けした子株を無駄なく育苗することが可能な育苗装置を提供すること。【解決手段】親株棚部２と株別け棚部３を有する水平状の棚部１と、この棚部１を地上に浮いた状態の適宜高さに支持可能な脚部４からなり、親株棚部２は、苗の親株を受け入れ可能な親株収容部２ａを有し、株別け棚部３は、水平状の棚面に別体の子株育苗部５が取り付け可能な複数の穴状支持部１ｃを有すると共に、穴状支持部１ｃに対する子株育苗部５の取付形態を子株育苗部５の移動により親株収容部２ａとの間の間隔を増減調整可能に形成してある。【選択図】  図８
2004194520.tif 000002
【特許請求の範囲】
【請求項１】
親株棚部と株別け棚部を有する水平状の棚部と、この棚部を地上に浮いた状態の適宜高さに支持可能な脚部からなり、
親株棚部は、苗の親株を受け入れ可能な親株収容部を有し、
株別け棚部は、水平状の棚面に別体の子株育苗部が取り付け可能な複数の穴状支持部を有すると共に、穴状支持部に対する子株育苗部の取付形態を子株育苗部の移動により親株収容部との間の間隔を増減調整可能に形成してあることを特徴とする育苗装置。
【請求項２】
穴状支持部が長穴状であることを特徴とする請求項１記載の育苗装置。
【請求項３】
脚部が高さ調整可能であることを特徴とする請求項１または２記載の育苗装置。
【発明の詳細な説明】
【０００１】
【発明の属する技術分野】
本発明は育苗装置に関し、苺等のように、親株から第１子株を、第１子株から第２子株を、順次株分けして育苗するのに有用な育苗装置に関係している。
【０００２】
【従来の技術】
苺の育苗の場合、例えば特許文献１に示されているように、地続きの土で親株から子株を株分けしている育苗法では、蔓が土に触れることで炭素病等の障害を招くことがある。また、育苗が地べたで行なわれる場合、作業者の腰への負担は非常に厳しくきつい作業である。
一方、ナイアガラ方式と呼ばれている育苗法がある。この方式では、階段状の苗棚における最上段に親株を収容して育苗し、この親株から株分けされた第１子株を下段のポットで育苗し、さらに第１子株から株分けされた第２子株を次の下段のポットで育苗し、これを第３子株さらに第４子株のように順次株分けして、通常６〜８株を株分けしている。
ところで、この株分けは、（１）親株から蔓が発育して伸びる、（２）蔓のクラウン部分から葉が発育する、（３）クラウン部分から根が発育して子株に生育する、（４）子株のクラウン部分から蔓が発育して伸びる、以下、前記した（２）〜（４）を繰り返すことで所要数の株を得ている。
かかる株分けに際して、蔓（ランナー）は生育が一様でないために長すぎる或いは短い等のバラツキがあり、蔓の長さが上段と下段の高さに満たない場合には、蔓から発育した子株を無駄にしてしまうことになる。また、蔓が長すぎた場合には、土と触れることで発生することがある炭素病を未然に阻止できなくなる。
【０００３】
【特許文献１】
特開２０００−３４２０６５
【０００４】
【発明が解決しようとする課題】
解決しようとする課題は、第１には、親株から株分けした子株を無駄なく育苗することが可能な育苗装置を、第２には、さらに、蔓の長短に応じて無段階に微調整可能な育苗装置を、第３には、さらに、作業者に応じて作業し易い高さに調整可能な育苗装置を提供することにある。
【０００５】
【課題を解決するための手段】
本発明は前記した課題を達成するため、親株棚部と株別け棚部を有する水平状の棚部と、この棚部を地上に浮いた状態の適宜高さに支持可能な脚部からなり、親株棚部は、苗の親株を受け入れ可能な親株収容部を有し、株別け棚部は、水平状の棚面に別体の子株育苗部が取り付け可能な複数の穴状支持部を有すると共に、穴状支持部に対する子株育苗部の取付形態を子株育苗部の移動により親株収容部との間の間隔を増減調整可能に形成してあることを特徴とする。
また本発明では、前記穴状支持部が長穴状であることを特徴とする。
また本発明では、前記脚部が高さ調整可能であることを特徴とする。
【０００６】
本発明における棚部は、親株棚部と株分け棚部が一体に形成されている一体構造のものであっても良いし、親株棚部と株分け棚部が別体に形成されている組み構造のものであっても良い。この親株棚部と株分け棚部は1枚の連続した水平状部材であっても良いし、親株棚部を親株の根部分が収まる深さの凹部状であっても良い。また、棚部は、多数の穴状支持部が開口された多孔板製のものでも良いし、網目が穴状支持部になっている金網製のものでも良い。
穴状支持部は、丸穴状、角穴状、長穴状、これらに類するその他の穴形状のいずれのものであっても良い。この複数の穴状支持部の配列は、左右方向、前後方向、斜め方向等のように方向性を有する規則的な配列関係でも良いし、或いは、方向性が無い不規則な配列関係のものであっても良い。
かかる穴状支持部に対する子株育苗部の取付形態は、穴状支持部が丸穴状或いは角穴状である場合、蔓の長さに応じて最寄りの穴状支持部に子株育苗部を取り付けることで対応することになる。そして、穴状支持部が長穴状である場合には、子株育苗部は長手方向へスライド可能であり、このスライド可能なフリー状態の取付形態にしても良いし、別体のクリップ等の止め具等によってスライドを規制して仮止め可能な取付形態にしても良い。また、この止め具の機能を子株育苗部に一体に備えることで仮止め可能にしても良い。
【０００７】
【発明の実施の形態】
図１〜図６には本発明の育苗装置における実施の1形態として、苺の育苗装置を例示しており、１は棚部、４は脚部、５は子株育苗部である。
棚部１は、前後に平行状で前後幅ａが子株育苗部５を吊持可能な間隔の横線１ａと、左右に平行状で左右幅ｂが子株育苗部５の左右方向への移動を妨げない間隔の縦線１ｂからなる溶接金網製のもので、金網を曲げ加工して、水平状の株分け棚部３の右側縁に凹溝状の親株棚部２を一体に成形してある。
親株棚部２は、親株収容部２ａを親株の根部分が収まる深さの凹溝状に形成してあり、親株収容部２ａ内に収容される親株のクラウン部分と株分け棚部３との間に段差が発生しないようにすることで、親株から生育する蔓が株分け棚部３側に水平に伸び易くしてある。
【０００８】
株分け棚部３は、各網目を長穴状支持部１ｃとして形成しており、この左右方向に長い長穴状支持部１ｃには子株育苗部５をそれぞれ１〜複数個づつ吊持可能にしてあると共に、各子株育苗部５が当該長穴状支持部１ｃ内をそれぞれ左右方向へフリーに移動することで親株収容部２ａとの間の間隔および各子株育苗部５同士の間隔を個別に増減調整可能に形成してある。この長穴状支持部１ｃは複数個（図面上では３個）が左右方向に１列に並び、前後の各列単位で長穴状支持部１ｃ内の子株育苗部５に親株から株分けされる各子株を生育にバラツキがある蔓の長さに対応しながら受け入れて生育可能にしてある。
【０００９】
脚部４は、上端の棚部接続部４ａに棚部１を着脱可能に接続しており、棚部１を地上に浮いた状態の適宜高さに支持している。また、脚部４途中には、上杆と下杆を逆方向に回し操作して高さ調整するネジタイプ或いは下杆の上下の適宜孔に上杆側のピンを差し込み高さ調整するピンタイプ等の高さ調整部４ｂが設けられていて、作業者各自が作業し易い高さ例えば腰の高さ程度に高さ調整可能にしてある。
【００１０】
子株育苗部５は、縦長の有底筒状のポットからなる硬質樹脂製のもので、胴部５ａ径を長穴状支持部１ｃにおける前後幅ａよりも若干小径状に形成してあると共に、胴部５ａ上縁に外径が前後幅ａよりも大径状のフランジ部５ｂを周設してあり、長穴状支持部１ｃに対して上側から着脱且つ左右方向に移動可能にしてある。また、子株育苗部５における胴部５ａの小径状の下端横側には水抜き穴５ｃを設けていて、フランジ部５ｂを頭にして横向きに寝かした状態でも水抜きし得るようにしてある。さらに、胴部５ａ上縁近くには蔓止め孔５ｄを設けてあり、この蔓止め孔ｄに差し込む押えピン５ｅで胴部５ａ内の蔓を押えることによって、培土の減少や風による蔓のズレを防止し得るようにしてある。
【００１１】
図７には本発明の育苗装置における子株育苗部の他の1形態を例示しており、構成は前記した図５の態様のものと基本的に同一であるため、共通している構成の説明は符号を準用して省略し、相違する構成について説明する。
子株育苗部５はフランジ部５ｂ裏側に係止部５ｆを下向き開口状に設け、この係止部５ｆを前後の横線１ａに着脱可能に係止することで長穴状支持部１ｃの適宜左右位置に仮止め可能に形成してある。係止部５ｆは相対位置に形成される態様に限らず、片側に形成される態様であっても良い。かかる態様のものでは、子株育苗部５は蔓の長さに応じた左右移動調整後の位置に仮止めし得る。
【００１２】
図８〜図１０には前記した図１の育苗装置による苺の育苗状態を例示しており、先ず、高さ調整部４ｂを操作して、棚部１高さを作業者各自が作業し易い高さに整える。次に、親株棚部２の親株収容部２ａに樋状受け部材６を敷設し、この樋状受け部材６内に培土７を入れると共に、この培土７上に給液管８を配管して同管の小孔から液肥を培土７に供給し、培土７に植え付けた親株１０の生育を促す。９の断熱シートは培土７を覆うことで、病原菌の侵入を防止し且つ保温して親株１０の生育に寄与している。
この親株１０脇から左右方向に一列に並ぶ各穴状支持部１ｃには子株育苗部５がそれぞれ左右方向へフリーに移動可能に２個づつ備えられている。
【００１３】
そして、親株１０から発育して伸びる蔓１１のクラウン部分１２ａに葉１２ｂが発育すると共に同クラウン部分１２ａから根１２ｃが発育した状態で、この第１子株１２位置に子株育苗部５を移動させて位置調整し、培土７に根１２ｃを根付かせて生育する。第１子株１２が生育するのにともない、第１子株１２のクラウン部分１２ａから蔓１１が発育して伸び、この蔓１１から発育した第２子株１３位置に次の子株育苗部５を移動させて位置調整して、第２子株１３を生育する。こうして、第２子株１３から第３子株１４を、第３子株１４から第４子株１５を、第４子株１５から第５子株１６を、第５子株１６から第６子株１７を、それぞれ株分けする。
【００１４】
各子株育苗部５では、育苗部が縦長状であるから、発育する根は直根状で活着が良く多収になる。各子株育苗部５が独立しているので、病気の伝染が少ないし、親株から切り離し後の肥培管理が容易である。また、夜冷育苗や暗黒夜冷（子株育苗部より子株を抜き取り、コンテナに１００〜１２０本程度入れて行なうこと）が簡単にできることになる。そして、株分けした各子株は、畝に黒のポリエチレンシートを敷き、子株育苗部５より抜き取った子株を火はさみで畝に差し込めば、シート敷きと植付けの双方の作業を同時に行なえる。
【００１５】
図１１には本発明の育苗装置における実施の他の１形態に例示しており、構成は前記した図１の態様のものと基本的に同一であるため、共通している構成の説明は符号を準用して省略し、相違する構成について説明する。
棚部１における株分け棚部３は、前後方向に長い長穴状支持部１ｃに子株育苗部５をそれぞれ１〜複数個づつ吊持可能にしてあると共に、各子株育苗部５が当該長穴状支持部１ｃ内をそれぞれ前後方向へフリーに移動することで親株収容部２ａとの間の間隔および各子株育苗部５同士の間隔を個別に増減調整可能に形成してある。この長穴状支持部１ｃは複数列（図面上では８列）が左右方向に並列し、前後の各列単位で長穴状支持部１ｃ内の子株育苗部５に親株から株分けされる各子株を生育にバラツキがある蔓の長さに対応しながら受け入れて生育可能にしてある（図面上では、第２子株１３、第３子株１４、第４子株１５、第５子株１６、第６子株１７、第７子株１８、第８子株１９までの計８株）。
【００１６】
【発明の効果】
Ａ．請求項１により、親株から株分けした子株を無駄にすることがなくて済み、株分けした子株全てについて育苗することができ、無駄の無い効率的な株分けができる。
Ｂ．請求項２により、さらに、蔓の長短に応じて、親株収容部と子株育苗部との間を無段階に微調整することができるので、親株と子株との間を最適な間隔に調整して育苗することができる。
Ｃ．請求項３により、さらに、作業者に応じて作業し易い高さに調整し、効率良く作業することができる。
【図面の簡単な説明】
【図１】本発明の育苗装置における実施の１形態として、苺の育苗装置を例示している平面概略図。
【図２】正面概略図。
【図３】親株棚部および株分け棚部の部分拡大斜視図。
【図４】脚部と棚部の接続部分を示す拡大図。
【図５】子株育苗部の拡大斜視図。
【図６】子株育苗部の縦断面図。
【図７】子株育苗部の他の１形態を示す縦断面図。
【図８】図1の育苗装置による苺の育苗状態を示す正面概略図。
【図９】親株の育苗状態を示す縦断面図。
【図10】子株の育苗状態を示す縦断面図。
【図11】本発明の育苗装置における実施の他の１形態を例示している平面概略図。
【符号の説明】
１  棚部
１ａ  横線
１ｂ  縦線
１ｃ  長穴状支持部（穴状支持部）
ａ  前後幅
ｂ  左右幅
２  親株棚部
２ａ  親株収容部
３  株分け棚部
４  脚部
４ａ  棚部接続部
４ｂ  高さ調整部
５  子株育苗部
５ａ  胴部
５ｂ  フランジ部
５ｃ  水抜き穴
５ｄ  蔓止め孔
５ｅ  押えピン
５ｆ  係止部
６  樋状受け部材
７  培土
８  給液管
９  断熱シート
１０  親株
１１  蔓
１２  第１子株
１２ａ  クラウン部分
１２ｂ  葉
１２ｃ  根
１３  第２子株
１４  第３子株
１５  第４子株
１６  第５子株
１７  第６子株
１８  第７子株
１９  第８子株
【図１】
2004194520.tif 000003
【図２】
2004194520.tif 000004
【図３】
2004194520.tif 000005
【図４】
2004194520.tif 000006
【図５】
2004194520.tif 000007
【図６】
2004194520.tif 000008
【図７】
2004194520.tif 000009
【図８】
2004194520.tif 000010
【図９】
2004194520.tif 000011
【図１０】
2004194520.tif 000012
【図１１】
2004194520.tif 000013